(57)【要約】【課題】  使用状態の体裁がよく、コスト性の良いダクト継手を提供する点にある。【解決手段】  二つの交差可能な被取付け面Ｂ１、Ｃ１の一方に沿って配設される第１ダクト部Ｄと、他方の被取付け面Ｃ１に沿って配設される第２ダクト部Ｅとを対向する方向から連通接続され、継手本体Ａ１の両端部に、第１ダクト部Ｄに対して嵌合接続可能な第１接続口部１０Ａと、第２ダクト部Ｅに対して嵌合接続可能な第２接続口部１０Ｂとが、両取付け面Ｂ１，Ｃ１の交差角度に相当する位相差を付けた状態で形成され、継手本体Ａ１の外周面のうち、各被取付け面Ｂ１，Ｃ１に対面する両外側面１０Ｃ，１０Ｄが、取付け面に沿う平坦面に形成され、残りの外側面１０Ｅ，１０Ｆが、第１接続口部１０Ａと第２接続口部１０Ｂとの位相差を吸収するねじれ状態の曲面に形成されている。【選択図】        図１
2006029503.tif 000002
【特許請求の範囲】
【請求項１】
二つの交差可能な被取付け面の一方に沿って配設される第１ダクト部と、他方の被取付け面に沿って配設される第２ダクト部とを対向する方向から連通接続するダクト継手であって、
継手本体の両端部に、第１ダクト部に対して嵌合接続可能な第１接続口部と、第２ダクト部に対して嵌合接続可能な第２接続口部とが、両取付け面の交差角度に相当する位相差を付けた状態で形成されているとともに、継手本体の外周面のうち、各被取付け面に対面する両外側面が、取付け面に沿う平坦面に形成され、残りの外側面が、第１接続口部と第２接続口部との位相差を吸収するねじれ状態の曲面に形成されているダクト継手。
【請求項２】
二つの交差可能な被取付け面の一方に沿って配設される横断面形状が略長方形状の第１ダクト部と、他方の被取付け面に沿って配設される横断面形状が略長方形状の第２ダクト部とを連通接続するダクト継手であって、
継手本体の両端部に、第１ダクト部に対して嵌合接続可能な第１接続口部と、第２ダクト部に対して嵌合接続可能な第２接続口部とが、両取付け面の交差角度に相当する位相差を付けた状態で形成されているとともに、継手本体の外周面のうち、各被取付け面に対面する両外側面が、取付け面に沿う平坦面に形成され、残りの外側面が、第１接続口部と第２接続口部との位相差を吸収するねじれ状態の曲面に形成されているダクト継手。
【請求項３】
前記継手本体が、一方の被取付け面の垂直方向から脱着自在で、且つ、装着状態では筒状体を形成する一対の分割継手部材から構成され、少なくとも被取付け面側の分割継手部材は、被取付け面に固着手段を介して取付け可能に構成されている請求項１又は請求項２記載のダクト継手。
【請求項４】
前記継手本体の両接続口部の何れか一方が、それに対応するダクト部を内嵌接続可能に構成され、他方が、それに対応するダクト部を外嵌接続可能に構成されているとともに、両分割継手部材の内嵌接続側の合わせ部には、一方の被取付け面の垂直方向から脱着自在な係合手段が設けられている請求項１、２又は３記載のダクト継手。
【請求項５】
前記継手本体の被取付け側の分割継手部材には、それに内嵌するダクト部との芯合わせ用の基準線が標記されている請求項４記載のダクト継手。
【発明の詳細な説明】
【技術分野】
【０００１】
本発明は、ダクト継手に関し、詳しくは、継手本体の両端部に、第１ダクト部に対して嵌合接続可能な第１接続口部と、第２ダクト部に対して嵌合接続可能な第２接続口部とが、両取付け面の交差角度に相当する位相差を付けた状態で形成されているとともに、継手本体の外周面のうち、各被取付け面に対面する両外側面が、取付け面に沿う平坦面に形成され、残りの外側面が、第１接続口部と第２接続口部と位相差を吸収するねじれ状態の曲面に形成されているダクト継手に関する。
【背景技術】
【０００２】
近年、建屋内の室内機から室外の室外機に接続される空調用の配管においては、壁や天井などの被取付け面等の配管経路に沿って、配管をダクト内に収容した状態で配設して、配管の保護や外観の向上が図られ、多くの空調配管の施工に、このようなダクト配管が用いられている。
しかし、このようなダクト配管の場合、例えば、壁に垂直にダクト配管を配設するとともに、ダクト継手を介して、上端から天井壁に沿って壁に水平にダクト配管をするような、同じ壁を被取付け面として配設することはできても、壁と天井壁等の２つの交差する被取付け面に跨って、ダクト配管を実施するができない、このような場合、２つの交差する被取付け面に跨らない別の配管経路に変更して対処することが行われているが、反面、配管の経路が長くなることも多く、作業手間や施工コストを要する指摘が存在している。
そのため、従来においては、例えば、壁に配管された垂直な配管ダクトと、天井壁に配管された水平な配管ダクトを、ダクト継手を介して連結して、壁と天井壁とに跨るといった、二つの交差する取付け面に跨って配管ダクト同士を接続可能にする配管ダクトが存在している（例えば、特許文献１を参照）。
詳しくは、ボックス状の継手本体に、Ｔ字状配置の三方向に、配管ダクトの配管接続口が形成され、直角配置のダクト配管を接続する場合、直角配置の二つの配管接続口を使用し、使用しない残りの配管接続口を閉塞蓋で閉塞し、水平のダクト配管同士の接続場合、水平配置の二つの配管接続口を使用し、使用しない残りの配管接続口を閉塞蓋で閉塞して使用する構成になっている。
【０００３】
【特許文献１】特開１００１−２２１３９４号公報（第４−６頁、図２、図３）
【発明の開示】
【発明が解決しようとする課題】
【０００４】
ところが、このようなダクト継手は、ボックス状の継手本体に唯単に、配管接続口を設けただけの構造のものであり、直角配置のダクト接続、水平配置のダクト接続に使用においては、必ず閉塞蓋で閉塞される配管接続口が存在する構成になっているので、複数の定められた配管形態に対応使用することができる反面、使用状態においては、閉塞部分が不必要な構成部分で不必要なコスト部分となる製品構成になるとともに、見た目にも不体裁であり、コスト的に割高感のある商品形態になっている問題がある。
本発明は上記の事情に鑑みてなされたものであり、その目的とするところは、使用状態の体裁がよく、コスト性の良いダクト継手を提供する点にある。
【課題を解決するための手段】
【０００５】
本発明の第１番目のダクト継手の特徴構成は、二つの交差可能な被取付け面の一方に沿って配設される第１ダクト部と、他方の被取付け面に沿って配設される第２ダクト部とを対向する方向から連通接続する構成において、継手本体の両端部に、第１ダクト部に対して嵌合接続可能な第１接続口部と、第２ダクト部に対して嵌合接続可能な第２接続口部とが、両取付け面の交差角度に相当する位相差を付けた状態で形成されているとともに、継手本体の外周面のうち、各被取付け面に対面する両外側面が、取付け面に沿う平坦面に形成され、残りの外側面が、第１接続口部と第２接続口部との位相差を吸収するねじれ状態の曲面に形成されている点にある。
【０００６】
上記特徴構成によれば、第１ダクト部を第１接続口部に嵌合接続し、第２ダクト部を第２接続口部に嵌合接続することによって、二つの交差可能な被取付け面に跨って配管接続することができる。
また、ダクト継手の第１接続口部と第２接続口部とは、対向する方向から第１ダクト部と第２ダクト部を連通接続することが可能な構成であるとともに、両ダクト部を取付けた状態においては、各被取付け面に対面する継手本体の両外側面が平坦面に形成され、残りの外周面が第１接続口部と第２接続口部との位相差を吸収するねじれ状態の曲面に形成されているので、体裁のよいダクト配管状態を形成することができる。
【０００７】
従って、従来のダクト継手のように、唯単に、ボックス状の継手本体に、Ｔ字状配置の三方向に、配管ダクトの配管接続口が形成され、使用状態で不必要な構成部分が存在し、その部分が不必要なコスト部分となる製品構成に比べて、使用状態の体裁がよく、不必要な部分がないので、無駄な製作部分がなく、コスト性の向上を図ることができる。
【０００８】
本発明の第２番目のダクト継手の特徴構成として、二つの交差可能な被取付け面の一方に沿って配設される横断面形状が略長方形状の第１ダクト部と、他方の被取付け面に沿って配設される横断面形状が略長方形状の第２ダクト部とを連通接続する構成において、
継手本体の両端部に、第１ダクト部に対して嵌合接続可能な第１接続口部と、第２ダクト部に対して嵌合接続可能な第２接続口部とが、両取付け面の交差角度に相当する位相差を付けた状態で形成されているとともに、継手本体の外周面のうち、各被取付け面に対面する両外側面が、取付け面に沿う平坦面に形成され、残りの外側面が、第１接続口部と第２接続口部との位相差を吸収するねじれ状態の曲面に形成されている点にある。
【０００９】
上記特徴構成によれば、第１ダクト部を第１接続口部に嵌合接続し、第２ダクト部を第２接続口部に嵌合接続することによって、二つの交差可能な被取付け面に跨って配管接続することができる。
また、ダクト継手の第１接続口部と第２接続口部とは、対向する方向から第１ダクト部と第２ダクト部を連通接続することが可能な構成であるとともに、両ダクト部を取付けた状態においては、接続されるダクト部の横断面形状が略長方形状であっても、各被取付け面に対面する継手本体の両外側面が平坦面に形成され、残りの外周面が第１接続口部と第２接続口部との位相差を吸収するねじれ状態の曲面に形成されているので、体裁のよいダクト配管状態を形成することができる。
【００１０】
従って、従来のダクト継手のように、唯単に、ボックス状の継手本体に、Ｔ字状配置の三方向に、配管ダクトの配管接続口が形成され、使用状態で不必要な構成部分が存在し、その部分が不必要なコスト部分となる製品構成に比べて、使用状態の体裁がよく、不必要な部分がないので、無駄な製作部分がなく、コスト性の向上を図ることができる。
【００１１】
本発明の第３番目のダクト継手の特徴構成は、前記継手本体が、一方の被取付け面の垂直方向から脱着自在で、且つ、装着状態では筒状体を形成する一対の分割継手部材から構成され、少なくとも被取付け面側の分割継手部材は、被取付け面に固着手段を介して取付け可能に構成されている点にある。
【００１２】
上記特徴構成によれば、一方の被取付け面に分割継手部材を、固着手段を介して固着し、この固着された一方の分割継手部材に他方の分割継手部材を装着することによって、継手本体を組立て状態することができ、反対に、一方の被取付け面に固着された一方の分割継手部材から他方の分割継手部材の装着を解いて、継手本体を分解することができる。
【００１３】
従って、一方の被取付け面に組立て状態にする過程で、継手本体の各接続口部に対応するダクト部を接続することによって、段取りよくダクト配管を配設することができ、組立て性が良く、分解も簡単に実施することができるので、被取付け面への配設、メンテナンス、被取付け面からの撤去作業を段取り良く実施することができる。
【００１４】
本発明の第４番目のダクト継手の特徴構成は、前記継手本体の両接続口部の何れか一方が、それに対応するダクト部を内嵌接続可能に構成され、他方が、それに対応するダクト部を外嵌接続可能に構成されているとともに、両分割継手部材の内嵌接続側の合わせ部には、一方の被取付け面の垂直方向から脱着自在な係合手段が設けられている点にある。
【００１５】
上記特徴構成によれば、他方の接続口部に接続されるダクト部は、その対応する他方の接続口部で外嵌接続され、これによって組合わされた分割継手部材同士が拘束される状態が形成されるので、一方の内嵌接続側の合わせ部といった部分に係合手段を設けるといった、限られた部分の係合であっても、両接続口部に対応するダクト部を接続状態にすることによって、分割継手部材同士が勝手に分解するようなことがない組合せ状態を形成することができる。
【００１６】
従って、取扱い性がよいとともに、一方の内嵌接続側の合わせ部といった限られた継手本体部分に係合手段を設ける構成であるので、金型等の簡素化を図ることが可能で、製作コストの削減化を図ることができるとともに、係合手段を目印にして分割継手部材同士の組合せを行うことができるので、取扱い性や使い勝手がよい。
【００１７】
本発明の第５番目のダクト継手の特徴構成は、前記継手本体の被取付け側の分割継手部材には、それに内嵌するダクト部との芯合わせ用の基準線が標記されている点にある。
【００１８】
上記特徴構成によれば、被取付け側の分割継手部材を被取付け面に配管経路に精度良く取付け、この分割継手部材の基準線を基準にして内嵌するダクト部の芯合わせをおこなって、対応するダクト部を配設することによって、迅速にダクト部を精度よく配設状態にすることができる。
【００１９】
従って、配管品質の高いダクト配管の配設が可能となる。
【発明を実施するための最良の形態】
【００２０】
以下、本発明を適用したダクト継手を図面に基づいて説明する。
【００２１】
〔実施形態〕
この実施形態では、図１〜図３に示すように、例えば、空調機の室外機（図示せず）から建屋の外壁Ｂに沿って垂直に立ち上げ配管１Ａし、外壁の上部域から軒Ｃに沿って水平配管１Ｂし、隣の建屋の室内機（図示せず）に至る空調配管１の配管経路の途中部分を収納保護するために用いられ、特に、外壁Ｂと軒Ｃといった二つの交差（９０度角度）可能な、一方の壁Ｂの被取付け面Ｂ１に沿って配設される第１ダクト部Ｄと、他方の軒Ｃの被取付け面Ｃ１に沿って配設される第２ダクト部Ｅといった、二つの交差可能な被取付け面Ｂ１，Ｃ１に跨って配設されるダクト部Ｄ，Ｅ同士の接続部分に用いられるダクト継手Ａについて説明する。
【００２２】
すなわち、このダクト継手Ａは、図１〜図７に示すように、継手本体Ａ１の両端部に、外壁Ｂの壁面である被取付け面Ｂ１に沿って配設される第１ダクト部Ｄに対して嵌合接続可能な第１接続口部１０Ａと、軒Ｃの軒下面である被取付け面Ｃ１に沿って配設される第２ダクト部Ｅに対して嵌合接続可能な第２接続口部１０Ｂとが、両取付け面Ｂ１，Ｃ１の交差角度に相当する略９０度の位相差を付けた口部状態で形成されているとともに、継手本体Ａ１の外周面のうち、各被取付け面Ｂ１，Ｃ１に対面する両外側面１０Ｃ，１０Ｄが、取付け面に沿う平坦面に形成され、残りの外側面１０Ｅ，１０Ｆが、第１接続口部１０Ａと第２接続口部１０Ｂとの位相差を吸収するねじれ状態の曲面に形成されている。
【００２３】
前記第１ダクト部Ｄは、図１〜図３に示すように、９０度角度位置に略長方形状の接続口２Ａ、２Ｂを形成し、一方の被取付け面（外壁）Ｂ１に対して垂直方向から着脱可能な一対の分割ダクト部材２Ｃ，２Ｄからなるエルボ状ダクト２と、一方の接続口２Ａに先端が内嵌接続され、同じく一方の被取付け面Ｂ１に対して垂直方向から着脱可能な一対の分割ダクト部材３Ａ，３Ｂからなる横断面形状が略長方形状の直管ダクト３とから構成され、両ダクト２，３は被取付け面Ｂ１側の分割ダクト部材２Ｃ，３Ａを、タップネジ等の固着手段４を介して取付けられるようになっている。
【００２４】
前記第２ダクト部Ｅは、他方の被取付け面（軒）Ｃ１に対して垂直方向から着脱可能な一対の略Ｕ字状の分割ダクト部材５Ａ，５Ｂからなる横断面形状が略長方形状の直管ダクト５から構成され、このダクト５は他方の被取付け面Ｃ１に一方の分割ダクト部材５Ａを、タップネジ等の固着手段４を介して取付けられるようになっている。
【００２５】
前記第１ダクト部Ｄのエルボ状ダクト２は、組付け構成部材である分割ダクト部材２Ｃ，２Ｄ同士の対向する突合せ端部の一方に、外側向きの係止段差部２Ｅが形成され、他方に、内側向きの係止段差部２Ｆが形成されて、両者２Ｅ，２Ｆが係合可能に構成され、両分割ダクト部材２Ｃ，２Ｄが着脱可能になっている。
また、被取付け面Ｂ１に対応する一方の分割ダクト部材２Ｃには雌ネジ２Ｅが形成され、他方の分割ダクト部材２Ｄにはネジ受け孔２Ｆが形成されて、止めネジ２Ｇを介して両分割ダクト部材２Ｃ，２Ｄを連結可能に構成されている。
【００２６】
前記両ダクト部Ｄ，Ｅの直管ダクト３，５は、分割ダクト部材３Ａ，３Ｂ，５Ａ，５Ｂ同士の対向する突合せ端部の一方に、外側向きの係止爪３Ｃ，５Ｃが形成され、他方に、内向きの係止爪受け３Ｄ，５Ｄが形成されて、両分割ダクト部材３Ａ，３Ｂ，５Ａ，５Ｂの弾性変形を利用して、両分割ダクト部材３Ａ，３Ｂ，５Ａ，５Ｂが着脱可能になっている。
【００２７】
前記ダクト継手Ａの継手本体Ａ１は、一方の被取付け面Ｂ１の垂直方向から脱着自在で、且つ、装着状態では筒状体を形成する合成樹脂から型成型された一対の分割継手部材Ａ２，Ａ３から構成され、一方の被取付け面Ｂ１側の分割継手部材Ａ２は、タップネジ等の固着手段４を介して被取付け面Ｂ１に取付け可能に構成されている。
【００２８】
また、この実施形態のダクト継手Ａは、図４〜図７に示すように、継手本体Ａ１の第１接続口部１０Ａが、第１ダクト部Ｄを構成するエルボ状ダクト２の他方の接続口２Ｂを内嵌接続可能に構成され、第２接続口部１０Ｂが、第２ダクト部Ｅを構成する直管ダクト５の管端を外嵌接続可能に構成されているとともに、両分割継手部材Ａ２，Ａ３の内嵌接続側の合わせ部には、一方の被取付け面Ｂ１の垂直方向から脱着自在な係合手段Ａ４が設けられている。
【００２９】
前記係合手段Ａ４は、組付け構成部材である分割継手部材Ａ２，Ａ３同士の対向する突合せ端部の一方の分割継手部材Ａ２に、内側向きの係止段差部１０Ｇが形成され、他方の分割継手部材Ａ３に、外側向きの係止段差部１０Ｈが形成されて、両者Ａ２，Ａ３が係合可能に構成され、両分割継手部材Ａ２，Ａ３が着脱可能になっているとともに、分割継手部材Ａ２，Ａ３同士の対向する突合せ部の一方の分割継手部材Ａ３に、外側向きの係止爪１０Ｉが形成され、他方の分割継手部材Ａ２に、その係止爪１０Ｉに弾性係合可能な係止孔１０Ｊが形成されて、両分割継手部材Ａ２，Ａ３を係脱可能に構成され、両分割ダクト部材Ａ２，Ａ３が脱着可能な構成になっている。
【００３０】
また、前記継手本体Ａ１の他方の被取付け側Ｃ１に対応する分割継手部材Ａ２の外側面１０Ｄの内周面には、内嵌接続される直管ダクト用の芯合わせのために用いられる基準線１０Ｋが、第２接続口部１０Ｂにおける口部の長手方向の２等分中央位置に沿って、奥部のダクト止めの凸条１０Ｌに直交する状態に形成された凹溝１０Ｍによって標記され、この第２接続口部１０Ｂに対応する直管ダクト５の横断面長手方向２等分位置を合わせる、所謂、芯合わせを行って、図１に示すように、直管ダクト５の端部を凸条１０Ｌに当接、又は、近接させた状態で、第２接続口１０Ａに直管ダクト５の端部を内嵌することによって、ダクト継手Ａに対して直管ダクト５を芯出し状態の接続が可能になっている。
【００３１】
このような構成にすることによって、図２に示すように、この実施形態における空調機の室外機から室内機にいたる空調配管の配管経路１、つまり、外壁Ｂである一方の被取付け面Ｂ１から軒Ｃである他方の被取付け面Ｃ１に跨る経路に沿って、一方の被取付け面Ｂ１に、対応する第１ダクト部Ｄを構成するエルボ状ダクト２と直管ダクト３における分割ダクト部材２Ｃ、３Ｃ、及び、ダクト継手Ａの分割継手部材Ａ２を、固着手段４を介して取付け、他方の被取付け面Ｃ１に、対応する第２ダクト部Ｅを構成する直管ダクト５の分割ダクト部材５Ａを、固着手段４を介して取付ける。
【００３２】
次いで、室外機からの空調配管１を、一方の被取付け面に取付けられた分割ダクト部材２Ｃ、３Ａ、分割継手部材Ａ２、他方の被取付け面に取付けられた分割ダクト部材５Ａに沿って配管して行く過程で対応する、着脱側の分割ダクト部材２Ｄ、３Ｂ、分割継手部材Ａ３、分割ダクト部材５Ａを嵌合し、図３に示すように、二つの交差可能な被取付け面Ｂ１，Ｃ１の一方に沿って配設される第１ダクト部Ｄと、他方に配設される第２ダクト部Ｅとを、ダクト継手Ａを介して接続状態となったダクト配管が形成され、空調配管１が収納保護される。
【００３３】
〔別実施形態〕
１）  上記各実施形態では、ダクト継手Ａの第１接続口部１０Ａの接続対象である第１ダクト部Ｄが、エルボ状ダクト２と直管ダクト３とから構成され、第２接続口部１０Ｂの接続対象である第２ダクト部Ｅが、直管ダクト５から構成されたものについて説明したが、図１０に示すように、第１ダクト部Ｄが、縦配管された直管ダクト３と、これを接続可能に構成された固定ダクト部８Ａに対して、ダクト継手Ａの第１接続口部１０Ａを軸Ｘ周りに角度変更可能に可動ダクト部８Ｂを接続可能に構成された角度変更自在ダクト８とから構成され、第２ダクト部Ｅが直管ダクト５から構成されたものであってもよい。この場合、同図に示すように、例えば、建屋の外壁Ｂである被取付け面Ｂ１に第１ダクト部Ｄを配設し、外壁上端から傾斜角度を有して外方に突設形成された屋根庇Ｃの下面の被取付け面Ｃ１に、第２ダクト部Ｅを角度調整した状態で配設するような、二つの交差可能な被取付け面Ｂ１，Ｃ１に跨って使用する配管経路１等に用いることができる。
尚、上記実施形態と同様構成部分には同符号を付してその詳細は省略する。
【００３４】
２）  上記実施形態では、第１接続口部１０Ａで、第１ダクト部Ｄのエルボ状ダクト２の接続口２Ａを外嵌接続し、第２接続口１０Ｂで、第２ダクト部Ｅの直管ダクト５を内嵌接続する構成のダクト継手Ａについて説明したが、図１１に示すように、第１接続口部１０Ａで、第１ダクト部Ｄである直管ダクト９の管端部を内嵌接続し、第２接続口部Ｅで、直管ダクト５の管端部を内嵌接続するダクト継手Ａであってもよい。この場合、同図に示すように、例えば、建屋の外壁Ｂである被取付け面Ｂ１に第１ダクト部Ｄである直管ダクト９を水平配設し、第１ダクト部Ｄが配設された被取付け面Ｂ１と９０度角度で交差可能な被取付け面Ｃ１に第２ダクト部Ｅである直管ダクト５を配設するような、直線状の配設でありながら、二つの交差可能な被取付け面Ｂ１，Ｃ１に跨って使用する配管経路１等に用いることができる。
尚、上記実施形態と同様構成部分には同符号を付してその詳細は省略する。
【図面の簡単な説明】
【００３５】
【図１】本発明を適用した実施形態のダクト継手の使用状態を示す断面図
【図２】ダクト継手と被取付け面との関係、ダクト継手と第１、第２ダクト部との関係を示す分解斜視図
【図３】二つの交差可能な被取付け面にダクト継手を用いて第１、第２ダクト部を接続した状態を示す断面図
【図４】ダクト継手を示す斜視図
【図５】ダクト継手の分解斜視図
【図６】ダクト継手と被取付け面との関係を示す説明図
【図７】ダクト継手と被取付け面との関係を示す説明図
【図８】分割継手部材の係合手段を示す参考図
【図９】ダクト継手の断面図
【図１０】本発明を適用した別の実施形態のダクト継手の使用状態を示す断面図
【図１１】本発明を適用したさらに別の実施形態のダクト継手の使用状態を示す断面図
【符号の説明】
【００３６】
Ａ                ダクト継手
Ａ１              継手本体
Ａ２              分割継手部材
Ａ３              分割継手部材
Ａ４              係合手段
Ｃ１              被取付け面
Ｄ                第１ダクト部
Ｅ                第２ダクト部
４                固着手段
１０Ａ            第１接続口部
１０Ｂ            第２接続口部
１０Ｃ            外側面
１０Ｄ            外側面
１０Ｅ            外側面
１０Ｆ            外側面
１０Ｋ            基準線
【図１】
2006029503.tif 000003
【図２】
2006029503.tif 000004
【図３】
2006029503.tif 000005
【図４】
2006029503.tif 000006
【図５】
2006029503.tif 000007
【図６】
2006029503.tif 000008
【図７】
2006029503.tif 000009
【図８】
2006029503.tif 000010
【図９】
2006029503.tif 000011
【図１０】
2006029503.tif 000012
【図１１】
2006029503.tif 000013